(57)【要約】【課題】病院や福祉介護施設では入院患者に対する地震対策が今まで実施されていなかった。いきなり大きな揺れが来てパニック状態になる前に、患者及び看護師に地震到来を事前に知らせることを課題とする。  【解決手段】他の病院において得られたＰ波センサーの地震通報を通信回線を経由してナースコール親機が受信する第１の手段と、自己の病院において得られたＰ波センサーの地震発生の信号をナースコール親機が検知する第２の手段と、第１の手段と第２の手段のいずれか一方または第１の手段と第２の手段のどちらか早い方の情報によって、ナースコール親機は地震発生を知らせる一斉放送を行う手段と、病室の出入り口近傍に設けられている廊下灯の表示部へ担送・護送が必要な患者を表示する手段と、看護師が所有している携帯電話（ＰＨＳ）へ一斉呼び出しを行って地震情報をＰＨＳに表示する手段を備える。  【選択図】図１
2007117459.tif 000002
【特許請求の範囲】
【請求項１】
地震計Ｐ波（Ｐｒｉｍａｒｙ  Ｗａｖｅ）センサーが予め設定した強度を超えるレベルを検出すると超過を知らせる信号を出力する手段と、前記地震計Ｐ波センサーを装備したナースコール親機が超過を知らせる信号を受け取るとナースコール子機へ地震発生を知らせる一斉放送を出力し、看護師が所有する携帯電話（ＰＨＳ：Ｐｅｒｓｏｎａｌ  Ｈａｎｄｙｐｈｏｎｅ  Ｓｙｓｔｅｍ）へ一斉呼び出しを行い前記携帯電話の表示部に地震情報を表示すると共に病室の出入り口近傍に設けられている廊下灯に担送・護送の必要がある患者を報知する表示を行うことを特徴とするナースコール装置。
【請求項２】
地震計Ｐ波センサーが予め設定した強度を超えるレベルを検出すると超過を知らせる信号を出力する手段と、前記地震計Ｐ波センサーを装備したナースコール親機が超過を知らせる信号を受け取ると、前記ナースコール親機とＬＡＮ（ローカルエリアネットワーク）または専用の通信線で接続しているサーバー及びデータ処理装置へ通報し前記サーバー及び前記データ処理装置は処理中の作業を速やかに中断してハードディスクのアクセスを停止することを特徴とするナースコール装置。
【請求項３】
地震計Ｐ波センサーが予め設定した強度を超えるレベルを検出すると超過を知らせる信号を出力する手段と、前記地震計Ｐ波センサーを装備したナースコール親機が超過を知らせる信号を受け取ると、病院内の機器を安全に稼働する為の警報信号を出力することを特徴とするナースコール装置。
【請求項４】
地震計Ｐ波センサーが予め設定した強度を超えるレベルを検出すると超過を知らせる信号を出力する手段と、前記地震計Ｐ波センサーを装備したナースコール親機が超過を知らせる信号を受け取ると、他の複数病院のナースコール装置へ地震発生の通報を電気通信する手段を備え、他の病院から地震発生の通報を受けたナースコール親機は、自己の地震計Ｐ波センサーの超過を知らせる信号を含めて一番早い通報に従って請求項１及び請求項２及び請求項３記述の動作を行うことを特徴とするナースコール装置。
【発明の詳細な説明】
【技術分野】
【０００１】
本発明は、病院や福祉介護施設で使用されるナースコール装置に関する。
【背景技術】
【０００２】
周知の様に、病院や福祉介護施設では主に看護師（福祉介護施設では介護士など）と患者が通話する
為のナースコール装置が設置されている。  このナースコール装置では、患者が呼び出しに使用する
呼び出し子機が各ベッドに備えられ、ナースステーションにはナースコール親機が設置されていて、
その間で通話できるようになっている。（特許文献１を参照）
【特許文献１】特許第２８８７５５２号公報
【特許文献２】特許公開２００１−８３２５７
【発明の開示】
【発明が解決しようとする課題】
【０００３】
地震の被害を少なくする手段の一つとして、初期微動であるＰ波（Ｐｒｉｍａｒｙ  Ｗａｖｅ）と本振動であるＳ波（Ｓｅｃｏｎｄａｒｙ  Ｗａｖｅ）の速度差を利用して、Ｐ波を検出したら大きな揺れが来る前に安全な対策を採る地震早期検知システムが提案されている。  （特許文献２を参照）
【０００４】
しかし、病院や福祉介護施設では入院患者に対する地震対策が今まで実施されていなかった。
本発明は、いきなり大きな揺れが来てパニック状態になる前に、患者及び看護師に地震到来を事前に知らせることを課題とする。
【課題を解決するための手段】
【０００５】
他の病院のナースコール装置において得られた地震計Ｐ波センサーの地震通報を通信回線を経由してナースコール親機が受信する第１の手段と、自己の病院において得られた地震計Ｐ波センサーの地震発生の信号をナースコール親機が検知する第２の手段と、第１の手段と第２の手段のいずれか一方または第１の手段と第２の手段のどちらか早い方の情報によって、ナースコール親機は接続されている全てのナースコール子機に対して地震発生を知らせる一斉放送を行う手段と、病室の出入り口近傍に設けられている廊下灯の表示部へ担送・護送が必要な患者を表示する手段と、看護師が所有している携帯電話（ＰＨＳ）へ一斉呼び出しを行って地震情報をＰＨＳに表示する手段と、ナースコール親機とＬＡＮまたは専用の通信線で接続されているサーバーとパーソナルコンピュータなどデータ処理装置へ地震発生を通知して、ハードディスクのアクセスを中断させる手段と、病院設備の中で振動に弱い設備のためにナースコール親機は警報信号を外部へ出力する手段を備える。
【発明の効果】
【０００６】
本発明は、地震の大きく揺れる本震が来る前に患者及び看護師に知らせるため、心の準備をして心臓麻痺やパニックを防止し、落下物や転倒の可能性がある物から避けることで患者の安全を高めることが出来る。    また、廊下に居る看護師に対しては、病室前に設置されている廊下灯に体の不自由な担送・護送が必要な患者を表示することで、緊急の避難準備が出来る。    さらに、振動に弱いサーバーやデータ処理装置のハードディスクのアクセスを中断してディスククラッシュを防いだり、警報信号をナースコール装置から出力することでエレベータの安全操行や停電前に発電機の起動準備など、振動に弱い病院設備に対してより安全な操行が可能である。
【発明を実施するための最良の形態】
【０００７】
以下、本発明の一実施形態を図面に基づいて説明する。
図１は、ナースコール装置の全体構成を示す。        地震計（４）は、Ｐ波を検知するＰ波センサー（１）と、地震の強度が設定されたレベル以上のときに出力が変化するレベル比較器（２）と、比較の出力をリセットされるまで保持する保持部（３）とで構成する。  図１では、レベル比較を２段階で比較することを示し、たとえば通常の地震よりやや大きい震度４以上と震度５以上などの時に警報が出るように設定する。
【０００８】
ナースコール親機（１７）では、地震計（４）からの信号を入力検知部（５）で受け取り、制御処理部（６）で大きな地震が発生したことを検知する。
【０００９】
制御処理部（６）は、操作／表示部（１０）に表示と音でナースセンタに居る看護師に地震発生を知らせる。  ナースコール子機に対しては、一斉放送を起動して放送の予告音の後にメモリ部（１６）から音声データを読み出し、地震発生のメッセージを子機通信インタフェース部（７）  、通信線（１９）  、廊下灯（１８）を経由してナースコール子機（３６）のスピーカ（３５）へ送出する。  患者は、大きな揺れが来る前に心の準備と危険物から遠ざかることができる。
【００１０】
制御処理部（６）は、  一斉放送と同時に体が不自由な担送・護送が必要な患者がいる廊下灯（１８）へ表示情報を送り、廊下灯（１８）の操作／表示部（３０）に患者名などを点滅表示する。
これを見た看護師は、患者を安全誘導することが可能である。
【００１１】
制御処理部（６）は、ＰＨＳ（携帯電話）を所有している看護師へ地震発生を知らせる為に一斉呼び出しを行う。      制御処理部（６）からＰＨＳインタフェース部（１３）とＰＨＳ主装置（２０）と無線固定局（２５）を経由して、ＰＨＳ（２４）へ地震メッセージを送出する。
【００１２】
制御処理部（６）は、振動に弱い設備機器に対して、入出力部（１５）を経由して警報出力部（１２）から警報を出力する。    例えば、警報信号を受けたエレベータは大きな揺れが来る前に最寄の階に停止し、ドアを開けて人を下ろす。    また、手術中など地震による停電を避けねばならない設備では、発電機の起動を早めに行う。
【００１３】
制御処理部（６）は、ＬＡＮインタフェース部（１４）を経由してＬＡＮ（２６）に接続されているサーバー（２２）  、ＰＣ（パーソナルコンピュータ）などのデータ処理装置（２３）へ地震発生の情報を送り、ハードディスクのアクセスを中断させる。  振動によるハードディスクの故障を防ぐことが出来る。
【００１４】
制御処理部（６）は、ＬＡＮ（２６）上のルーター（２１）から通信のネットワークを利用して、他の病院などの施設に地震情報を送る。    電気通信による地震通報は、地震のＰ波の伝達より速く届くので他の病院が遠方にあればある程、地震の準備時間はより有利になる。
他の病院からの地震情報より自己のＰ波の検出が早い場合は他の病院へ地震通報し、遅い場合はお互いにネットワークで結ばれていれば他の病院へ通報しなくてもよい。
【図面の簡単な説明】
【００１５】
【図１】地震早期検知のナースコール装置    全体構成
【符号の説明】
【００１６】
1.                 
Ｐ波センサー
2.                 
レベル比較器
3.                 
保持部
4.                 
地震計
5.                 
入力検知部
6.                 
制御処理部
7.                 
子機通信インタフェース部
8.                 
送受話器
9.                 
通話インタフェース部  
10.         
操作／表示部
11.         
選局／呼出表示部
12.         
警報出力部
13.         
ＰＨＳインタフェース部
14.         
ＬＡＮ（ローカルエリアネットワーク）インタフェース部
15.         
入出力部
16.         
メモリ部
17.         
ナースコール親機
18.         
廊下灯
19.         
通信線
20.         
ＰＨＳ主装置
21.         
ルーター
22.         
サーバー
23.         
データ処理装置（パーソナルコンピュータ（ＰＣ）など）
24.         
ＰＨＳ（携帯電話）
25.         
無線固定局
26.         
ＬＡＮ（ローカルエリアネットワーク）
27.         
親機通信インタフェース部
28.         
制御処理部
29.         
メモリ部
30.         
操作／表示部
31.         
復旧ボタン
32.         
呼び出しボタン
33.         
増幅器
34.         
マイクロフォン
35.         
スピーカ
36.         
ナースコール子機
【図１】
2007117459.tif 000003